(57)【要約】【課題】設置階での現場作業を省力化することができる設備構造ユニット及び床施工方法を提供する。【解決手段】小梁１４と、小梁１４の上部に設けられたデッキプレート２０及びＰＣａスラブ１２と、ＰＣａスラブ１２の下部に配設された設備２２と、を設備構造ユニット１０として一体化する。また、設備構造ユニット１０を揚重して小梁１４を大梁に架設し、デッキプレート２０の上部にコンクリートを打設する。【選択図】図１
2018087465.tif 000002
【特許請求の範囲】
【請求項１】
小梁と、
前記小梁の上部に設けられたデッキプレート及びＰＣａスラブと、
前記ＰＣａスラブの下部に配設された設備と、
を一体化した設備構造ユニット。
【請求項２】
前記ＰＣａスラブの上面には、揚重手段によって吊上げられるフレーム部材が設けられている、請求項１に記載の設備構造ユニット。
【請求項３】
小梁と、前記小梁の上部に設けられたデッキプレート及びＰＣａスラブと、前記ＰＣａスラブの下部に配設された設備と、を設備構造ユニットとして一体化した後に、前記設備構造ユニットを揚重して前記小梁を大梁に架設し、前記デッキプレートの上部にコンクリートを打設する、床施工方法。
【発明の詳細な説明】
【技術分野】
【０００１】
本発明は、設備構造をユニット化した設備構造ユニット、及び設備構造ユニットを用いた床施工方法に関する。
【背景技術】
【０００２】
スラブや梁等を予め一体化してユニットとし、ユニットごと揚重して大梁に設置する施工方法が知られている。この施工方法として、例えば特許文献１には、鉄骨小梁、床板、及び設備機器をフロアユニットとした後、フロアユニットを設置階まで揚重する施工方法が開示されている。
【先行技術文献】
【特許文献】
【０００３】
【特許文献１】特開２０１２−４６９２１号公報
【発明の概要】
【発明が解決しようとする課題】
【０００４】
特許文献１に記載の施工方法では、フロアユニットを揚重して鉄骨小梁を大梁に突設されたブラケットに載せた後、フロアユニットの周囲にデッキを敷設し、コンクリートを打設して床スラブを施工している。つまり、設置階でデッキを全て施工しなければならないため、現場作業が煩雑となり、工期が延びることが懸念される。
【０００５】
本発明は上記事実に鑑み、設置階での現場作業を省力化することができる設備構造ユニット及び床施工方法を提供することを目的とする。
【課題を解決するための手段】
【０００６】
請求項１に記載の設備構造ユニットは、小梁と、前記小梁の上部に設けられたデッキプレート及びＰＣａスラブと、前記ＰＣａスラブの下部に配設された設備と、を一体化している。
【０００７】
上記構成によれば、小梁、デッキプレート、ＰＣａスラブ、設備を予めユニットとして一体化するため、設置階での現場作業が省略化される。また、設備がＰＣａスラブの下部に配設されるため、現場打ちコンクリートのノロ垂れや雨掛かりから設備を保護することができる。
【０００８】
請求項２に記載の設備構造ユニットは、請求項１に記載の設備構造ユニットであって、前記ＰＣａスラブの上面には、揚重手段によって吊上げられるフレーム部材が設けられている。
【０００９】
上記構成によれば、ＰＣａスラブの上面に揚重用のフレーム部材が設けられているため、設備構造ユニットを撓ませたり傷つけたりすることなく揚重することができる。            
【００１０】
請求項３に記載の床施工方法は、小梁と、前記小梁の上部に設けられたデッキプレート及びＰＣａスラブと、前記ＰＣａスラブの下部に配設された設備と、を設備構造ユニットとして一体化した後に、前記設備構造ユニットを揚重して前記小梁を大梁に架設し、前記デッキプレートの上部にコンクリートを打設する。
【００１１】
上記構成によれば、小梁、デッキプレート、ＰＣａスラブ、設備を予めユニットとして一体化するため、設置階での現場作業が省略化される。また、設備構造ユニットの小梁を大梁に架設し、デッキプレートの上部にコンクリートを打設することにより、支保工を組まずに容易に床を施工することができる。
【発明の効果】
【００１２】
本発明によれば、設置階での現場作業を省力化することができる。
【図面の簡単な説明】
【００１３】
【図１】本発明の実施形態の一例における設備構造ユニットを示す斜視図である。
【図２】（Ａ）は設備構造ユニットが設置されるフロアを示す平面図であり、（Ｂ）は床施工後のフロアを示す（Ａ）におけるＢ−Ｂ線断面図である。
【図３】（Ａ）、（Ｂ）は小梁の大梁への架設部分の変形例を示す斜視図である。
【発明を実施するための形態】
【００１４】
以下、本発明の実施形態に係る設備構造ユニット、及び設備構造ユニットを用いた床施工方法の一例について、図１、図２に従って説明する。
【００１５】
（設備構造ユニット）
図１に示すように、本実施形態の設備構造ユニット１０は、ＰＣａスラブ１２と、並列に配置された２本の小梁１４と、を有している。
【００１６】
ＰＣａスラブ１２は、予め工場で製造されたコンクリート製の長方形形状のスラブであり、内部に埋設されたスラブ鉄筋１５の両端部が、ＰＣａスラブ１２の側面から露出している。また、ＰＣａスラブ１２には複数の貫通穴１７が形成されている。
【００１７】
小梁１４はＨ形鋼であり、上面に複数のスタッド１６が突出形成されている。また、小梁１４は、下フランジ１４Ｂの長手方向の両端部が切断されているため、上フランジ１４Ａに対して下フランジ１４Ｂが短く、ウェブ１４Ｃの端部が側面視にて傾斜している。
【００１８】
また、小梁１４の長手方向の略中央部には、２本の小梁１４に跨るようにＰＣａスラブ１２が載置されて固定されている。また、図２（Ｂ）に示すように、小梁１４の長手方向の略中央部は耐火被覆材１８で覆われている。なお、小梁１４の数は２本である必要はなく、載置されるＰＣａスラブ１２の大きさに合わせて適宜定められる。
【００１９】
図１に示すように、ＰＣａスラブ１２の両側には、それぞれデッキプレート２０が敷設されている。デッキプレート２０は、断面が波形形状とされた鉄板であり、スタッド１６を避けるように小梁１４上に載置され、小梁１４に溶接されている。
【００２０】
また、ＰＣａスラブ１２の下部には、小梁１４と干渉しない位置に設備２２が設置されている。設備２２は、例えばダクトやチャンバ等の空調機器等であり、図示しない接続部材を介してＰＣａスラブ１２又は小梁１４に取付けられている。
【００２１】
さらに、ＰＣａスラブ１２の上部には、並列に配置された２本のフレーム部材２４が固定されている。具体的には、例えばＰＣａスラブ１２に複数の図示しないインサートが埋込まれ、フレーム部材２４に複数の図示しない貫通孔が形成されており、フレーム部材２４の貫通孔に挿通された図示しないボルトがインサートに螺合されることにより、ＰＣａスラブ１２にフレーム部材２４がボルト接合されている。
【００２２】
フレーム部材２４は、例えば小梁１４に直交する方向に延びるＨ形鋼であり、長手方向の両端部の上面にそれぞれ係止部２４Ａが形成されている。なお、フレーム部材２４は、溝形鋼等で構成されていてもよい。
【００２３】
一方、図２（Ａ）に示すように、建物のフロア２６には、大梁２８に囲まれた空間部３０が複数形成されている。大梁２８には、互いに並列に配置された一対のプレート３２が設けられており、プレート３２に小梁１４が架設されることにより、空間部３０に設備構造ユニット１０が設置される。
【００２４】
図２（Ａ）及び図２（Ｂ）に示すように、大梁２８はＨ形鋼であり、上フランジ２８Ａと下フランジ２８Ｂとの間にプレート３２が溶接されている。なお、一対のプレート３２間の距離は、小梁１４の幅より小さくされており、プレート３２の上端部は、大梁２８の上フランジ２８Ａから水平方向に突出している。
【００２５】
（床施工方法）
フロア２６の床を施工する場合、まず、予めフレーム部材２４が上面に接合されたＰＣａスラブ１２、及び下フランジ１４Ｂの両端部が切断された２本の小梁１４を製造しておく。
【００２６】
そして、建設現場の地上に設けられた製作ヤードにて、ＰＣａスラブ１２の貫通穴１７に小梁１４のスタッド１６が挿入されるように、２本の小梁１４の上部にＰＣａスラブ１２を載置する。
【００２７】
その後、貫通穴１７内にコンクリート等の充填材を充填することで、ＰＣａスラブ１２と小梁１４とを一体化する。次に、小梁１４にデッキプレート２０を溶接することにより、小梁１４上のＰＣａスラブ１２の両側にデッキプレート２０を敷設する。
【００２８】
また、小梁１４の下フランジ１４Ｂから上フランジ１４Ａにわたって耐火被覆材１８で覆うとともに、ＰＣａスラブ１２の下部に設備２２を取付ける。以上の工程により、図１に示すように、ＰＣａスラブ１２、小梁１４、デッキプレート２０、及び設備２２が一体化された設備構造ユニット１０を形成する。
【００２９】
一方、フロア２６に空間部３０を形成しつつ、建物を構築する。そして、設備構造ユニット１０のフレーム部材２４に形成された係止部２４Ａに、図２（Ａ）に示すように、クレーン３４のワイヤ３４Ａをそれぞれ取付け、クレーン３４によって設備構造ユニット１０を揚重する。
【００３０】
そのまま、設備構造ユニット１０をクレーン３４によって製作ヤードから大梁２８で囲まれたフロア２６の空間部３０の上部まで移動させ、大梁２８に溶接されたプレート３２間に小梁１４の端部を落とし込む。このとき、一対のプレート３２間の距離が小梁１４の幅より小さくされているため、小梁１４の上フランジ１４Ａがプレート３２の上端部に架設される。
【００３１】
また、図２（Ｂ）に示すように、小梁１４の下フランジ１４Ｂは、上フランジ１４Ａに対して短くされているため、プレート３２と干渉することはない。なお、設備構造ユニット１０の設置後、図示しないボルトを取外すことによってＰＣａスラブ１２からフレーム部材２４を取外す。
【００３２】
その後、デッキプレート２０の上部に図示しないメッシュ筋を配筋してスラブ鉄筋１５と結束し、コンクリートを打設することでＰＣａスラブ１２と面一となる現場打ちのスラブ３６を施工する。このとき、大梁２８とデッキプレート２０との間等に隙間がある場合には、隙間に他のデッキプレートを架渡した後でスラブ３６を施工してもよい。このスラブ３６とＰＣａスラブ１２とによって、フロア２６の床が形成される。
【００３３】
ＰＣａスラブ１２の側面から露出するスラブ鉄筋１５、及び小梁１４の上面に形成されたスタッド１６により、スラブ３６とＰＣａスラブ１２、小梁１４、及びデッキプレート２０とが一体化される。上記工程を繰返し、複数の設備構造ユニット１０をそれぞれ空間部３０に設置することで、建物のフロア２６の床を下層から順に施工していく。
【００３４】
（作用、効果）
本実施形態によれば、製作ヤードにてＰＣａスラブ１２、小梁１４、デッキプレート２０、及び設備２２を予め設備構造ユニット１０として一体化するため、建物のフロア２６での現場作業を省略化することができる。
【００３５】
また、設備２２がＰＣａスラブ１２の下部に配設されているため、スラブ３６を構築する際のコンクリートのノロ垂れや雨掛かりから、設備２２を保護することができる。さらに、ＰＣａスラブ１２の上面にフレーム部材２４が設けられているため、設備構造ユニット１０を撓ませたり傷つけたりすることなくクレーン３４で揚重することができる。
【００３６】
また、上記構成によれば、設備構造ユニット１０の小梁１４を、フロア２６の大梁２８に設けられたプレート３２間に落とし込むだけで、フロア２６の空間部３０に設備構造ユニット１０を設置することができる。このため、小梁１４と大梁２８とをボルト等によって接合する構成と比較して、小梁１４を大梁２８に容易に架設することができる。
【００３７】
さらに、上記構成によれば、設備構造ユニット１０のデッキプレート２０の上部にコンクリートを打設することにより、スラブ３６を施工している。このため、支保工を組まずに床を施工することができるとともに、フロア２６で全てのデッキプレート２０を施工する構成と比較して、フロア２６での現場作業を省略化することができる。
【００３８】
以上、本発明について実施形態の一例を説明したが、本発明はかかる実施形態に限定されるものではなく、本発明の範囲内にて他の種々の実施形態が可能である。
【００３９】
上記実施形態では、一対のプレート３２間の距離が小梁１４の幅より小さくされ、小梁１４の上フランジ１４Ａがプレート３２の上端部に架設されることによって、小梁１４が大梁２８に架設されていた。しかし、プレート３２の構成は、上記実施形態には限られない。
【００４０】
例えば、図３（Ａ）に変形例として示すように、大梁４８に溶接された一対のプレート４２間の距離が小梁４４の幅より大きくされ、プレート４２間に載置部４６が形成されていてもよい。
【００４１】
この場合、図示しないＰＣａスラブ等と一体化されて設備構造ユニットとされた小梁４４の下フランジ４４Ｂを載置部４６に乗せ掛けることで、小梁４４（設備構造ユニット）を大梁４８に架設することができる。なお、小梁４４の下フランジ４４Ｂの底面には、載置部４６に当接するストッパ５０が形成されていてもよい。
【００４２】
また、図３（Ｂ）に変形例として示すように、大梁５８に溶接された一対のプレート５２間の距離が小梁５４の幅より小さくされ、プレート５２にそれぞれ水平方向に切込み５６が形成されていてもよい。
【００４３】
この場合、図示しないＰＣａスラブ等と一体化されて設備構造ユニットとされた小梁５４の下フランジ５４Ｂをプレート５２の切込み５６に差込むことにより、小梁５４（設備構造ユニット）を大梁５８に架設することができる。なお、小梁５４の下フランジ５４Ｂの底面には、切込み５６に差込まれた際にプレート５２に当接するストッパ６０が形成されていてもよい。
【００４４】
プレート４２、５２の構成を上記の変形例とすることで、小梁４４、５４の下フランジ４４Ｂ、５４Ｂの長手方向の両端部を切断する必要がなくなり、工数を減らすことができる。なお、プレート３２、４２、５２を設けずに、ガセットプレート等を介してボルト接合により小梁１４、４４、５４を大梁２８、４８、５８に架設してもよい。
【符号の説明】
【００４５】
１０                 設備構造ユニット
１２                 ＰＣａスラブ
１４、４４、５４     小梁
２０                 デッキプレート
２２                 設備
２４                 フレーム部材
２８、４８、５８     大梁
【図１】
2018087465.tif 000003
【図２】
2018087465.tif 000004
【図３】
2018087465.tif 000005